(57)【要約】【課題】  釣り竿を即座に取り外し可能であると共に、釣り竿を大きく傾斜させて掛けてもずり落ちることがない竿掛け具を提供すること。【解決手段】  リール２を取り付けた釣り竿３を掛けて保持する竿掛け具１であって、支柱部４と、支柱部の上部に設けられた竿掛け本体５とを備え、竿掛け本体が、支柱部の上部から前方に突出し釣り竿のリールよりも先端側を支持可能な先端側支持部６と、支柱部の上部から後方に突出し釣り竿のリールを係止可能な後端側支持部７とを備え、先端側支持部が、釣り竿のリールよりも先端側を載置可能な凹み部６ａを有し、後端側支持部が、水平方向に延在しリールを係止可能な横棒部７ａと、横棒部の両端部から上方に向けて突出した一対の端部突出部７ｂとを有している。【選択図】      図１
0003216764.tif 000002
【実用新案登録請求の範囲】
【請求項１】
リール又はフックを取り付けた釣り竿を掛けて保持する竿掛け具であって、
支柱部と、
前記支柱部の上部に設けられた竿掛け本体とを備え、
前記竿掛け本体が、前記支柱部の上部から前方に突出し前記釣り竿の前記リール又は前記フックよりも先端側を支持可能な先端側支持部と、
前記支柱部の上部から後方に突出し前記釣り竿の前記リール又は前記フックを係止可能な後端側支持部とを備え、
前記先端側支持部が、前記釣り竿の前記リール又は前記フックよりも先端側を載置可能な凹み部を有し、
前記後端側支持部が、水平方向に延在し前記リール又は前記フックを係止可能な横棒部と、
前記横棒部の両端部から上方に向けて突出した一対の端部突出部とを有していることを特徴とする竿掛け具。
【請求項２】
請求項１に記載の竿掛け具において、
前記リールが、スピニングリールであり、リール本体と、前記リール本体から突出し前記釣り竿に装着される竿装着部とを備え、
前記横棒部が、前記リール本体と前記釣り竿との間に配されて前記竿装着部を係止可能であることを特徴とする竿掛け具。
【請求項３】
請求項１又は２に記載の竿掛け具において、
前記端部突出部が金属棒で形成され、その上部が、山型の曲線状に曲げられた湾曲部とされていることを特徴とする竿掛け具。
【請求項４】
請求項１から３のいずれか一項に記載の竿掛け具において、
前記後端側支持部が、前記支柱部の上部から後方に突出していると共に前記横棒部の両端部まで延在し金属棒で形成された一対の後方延在棒部を有し、
一対の前記後方延在棒部の間隔が、前記支柱部の上部から前記横棒部に向けて拡げられていることを特徴とする竿掛け具。
【請求項５】
請求項１から４のいずれか一項に記載の竿掛け具において、
前記横棒部の少なくとも表面が、樹脂材料で形成されていることを特徴とする竿掛け具。
【考案の詳細な説明】
【技術分野】
【０００１】
本考案は、スピニングリールを取り付けた釣り竿を掛けて保持することが可能な竿掛け具に関する。
【背景技術】
【０００２】
一般に、磯釣りや堤防での釣りなどの際に、釣り竿を掛けて保持する竿掛け具が用いられている。例えば、特許文献１には、ホルダ基部と、ホルダ基部から前方に延出して設けられ釣り竿を載置支持する前受部と、ホルダ基部から後方に延出して釣り竿の上面を支持する後受部と、ホルダ基部の下部に垂設されたホルダ支柱とを備えた釣り竿ホルダが提案されている。この釣り竿ホルダでは、前受部が釣り竿を載置支持するため正面Ｕ字状に形成され、後受部が釣り竿の上面を支持するため倒立Ｕ字状に形成されている。
【先行技術文献】
【特許文献】
【０００３】
【特許文献１】特開平１１−１５５４５２号公報
【考案の概要】
【考案が解決しようとする課題】
【０００４】
上記従来の技術には、以下の課題が残されている。
従来の竿掛け具では、釣り竿を後受部と前受部とにより支持しているが、釣り竿の先端側下面と基端側上面との２箇所を支持するために、釣り竿を竿掛け具に差し込み難いと共に、抜き取り難い構造となっている。すなわち、釣り竿を竿掛け具に掛ける場合には、まず釣り竿の基端部を後受部の前方から後受部の下に差し込んで基端側上面を後受部に係合させた後、先端側を前受部上に載置する必要がある。また、掛けた釣り竿を外す場合には、一旦、釣り竿を前方にスライドさせて基端部を後受部の前方に移動させることで後受部から外し、その状態で先端側を前受部から上方に浮かせる必要がある。特に、魚が掛かったときに、即座に釣り竿の先端側を上に挙げて、いわゆる「合わせ」を行うと共に、釣り竿を竿掛け具から外したい場合に、従来の竿掛け具では、釣り竿を後受部の前方に一旦スライドして外す動作が必要になるため、瞬間的に「合わせ」及び釣り竿の取り外しを同時に行うことが困難であった。
また、釣り竿を竿掛け具に掛けた際に、釣り竿を前方下方に傾けて設置するが、この傾斜角度が大きくなると、釣り竿が前方にずり落ちて基端部が後受部から外れてしまう問題もあった。
【０００５】
本考案は、前述の課題に鑑みてなされたもので、釣り竿を即座に取り外し可能であると共に、釣り竿を大きく傾斜させて掛けてもずり落ちることがない竿掛け具を提供することを目的とする。
【課題を解決するための手段】
【０００６】
本考案は、前記課題を解決するために以下の構成を採用した。すなわち、第１の考案に係る竿掛け具は、リール又はフックを取り付けた釣り竿を掛けて保持する竿掛け具であって、支柱部と、前記支柱部の上部に設けられた竿掛け本体とを備え、前記竿掛け本体が、前記支柱部の上部から前方に突出し前記釣り竿の前記リール又は前記フックよりも先端側を支持可能な先端側支持部と、前記支柱部の上部から後方に突出し前記釣り竿の前記リール又は前記フックを係止可能な後端側支持部とを備え、前記先端側支持部が、前記釣り竿の前記リール又は前記フックよりも先端側を載置可能な凹み部を有し、前記後端側支持部が、水平方向に延在し前記リール又は前記フックを係止可能な横棒部と、前記横棒部の両端部から上方に向けて突出した一対の端部突出部とを有していることを特徴とする。
【０００７】
この竿掛け具では、後端側支持部が、水平方向に延在しリール又はフックを係止可能な横棒部と、横棒部の両端部から上方に向けて突出した一対の端部突出部とを有しているので、ワンアクションで釣り竿を掛けること及び外すことが可能であると共に、釣り竿が横に転がり落ちることを防止できる。すなわち、釣り竿を掛ける際には横棒部の後方から釣り竿を差し込むことで、リール又はフックが横棒部に係止されると共に、釣り竿の先端側を先端側支持部の凹み部上に載置することができる。また、釣り竿を外す際には、釣り竿を横棒部の後方に引き抜くようにすることで、横棒部によるリール又はフックの係止が解除され、容易に釣り竿を取り外すことができる。さらに、その際に、釣り竿の先端部を上に挙げることで、魚が掛かった際の「合わせ」も同時にかつ即座に行うことが可能になる。なお、凹み部が横棒部よりも下方に位置して釣り竿の先端側が下方に向いて大きく傾斜しても、横棒部がリール又はフックを係止しているため、釣り竿が前方にずり落ちることもない。
また、一対の端部突出部が横棒部の両端部から上方に突出しているので、釣り竿が横棒部の両端部から転がり落ちようとしても端部突出部に係止されることで、脱落を防止することができる。
【０００８】
第２の考案に係る竿掛け具は、第１の考案において、前記リールが、スピニングリールであり、リール本体と、前記リール本体から突出し前記釣り竿に装着される竿装着部とを備え、前記横棒部が、前記リール本体と前記釣り竿との間に配されて前記竿装着部を係止可能であることを特徴とする。
すなわち、この竿掛け具では、横棒部が、リール本体と釣り竿との間に配されて竿装着部を係止可能であるので、ワンアクションでスピニングリールを取り付けた釣り竿を掛けること及び外すことが可能である。すなわち、釣り竿を掛ける際には、リール本体を下側に配した状態でリール本体と釣り竿との間に横棒部を配するようにして横棒部の後方から釣り竿を差し込むことで、竿装着部が横棒部に係止されると共に、釣り竿の先端側が先端側支持部の凹み部上に載置される。また、釣り竿を外す際には、釣り竿を横棒部の後方に引き抜くようにすることで、横棒部による竿装着部の係止が解除され、容易に釣り竿を取り外すことができる。
【０００９】
第３の考案に係る竿掛け具は、第１又は第２の考案において、前記端部突出部が金属棒で形成され、その上部が、山型の曲線状に曲げられた湾曲部とされていることを特徴とする。
すなわち、この竿掛け具では、端部突出部が金属棒で形成され、その上部が、山型の曲線状に曲げられた湾曲部とされているので、端部突出部の上部の先端が鋭利に突出しておらず、釣り竿が端部突出部の上部に当たって傷付くことを抑制することができる。
【００１０】
第４の考案に係る竿掛け具は、第１から第３の考案のいずれかにおいて、前記後端側支持部が、前記支柱部の上部から後方に突出していると共に前記横棒部の両端部まで延在し金属棒で形成された一対の後方延在棒部を有し、一対の前記後方延在棒部の間隔が、前記支柱部の上部から前記横棒部に向けて拡げられていることを特徴とする。
すなわち、この竿掛け具では、一対の後方延在棒部の間隔が、支柱部の上部から横棒部に向けて拡げられているので、横棒部を幅広に延在させることができ、リールやフックを容易に係止可能になると共に、一対の後方延在棒部が拡げられていることでリールが後方延在棒部に当接してしまうことを防止可能である。
【００１１】
第５の考案に係る竿掛け具は、第１から第４の考案のいずれかにおいて、前記横棒部の少なくとも表面が、樹脂材料で形成されていることを特徴とする。
すなわち、この竿掛け具では、横棒部の少なくとも表面が、樹脂材料で形成されているので、金属よりも柔らかく、釣り竿やリールが当接しても傷つけ難い。
【考案の効果】
【００１２】
本考案によれば、以下の効果を奏する。
すなわち、本考案に係る竿掛け具によれば、後端側支持部が、水平方向に延在しリール又はフックを係止可能な横棒部と、横棒部の両端部から上方に向けて突出した一対の端部突出部とを有しているので、ワンアクションで釣り竿を掛けること及び外すことが可能であると共に、釣り竿が横に転がり落ちることや前方にずり落ちることを防止できる。
したがって、本考案の竿掛け具では、従来よりも釣り竿を掛ける動作及び外す動作が簡易であると共に安定して釣り竿を掛けておくことができ、ストレスが少ない。また、即座の「合わせ」も可能であり、魚が掛かった際のタイミングを逃すことがない。
【図面の簡単な説明】
【００１３】
【図１】本考案に係る竿掛け具の第１実施形態を示す斜視図である。
【図２】第１実施形態において、竿掛け本体を示す斜視図である。
【図３】第１実施形態において、主に支柱部の上部を示す斜視図である。
【図４】本考案に係る竿掛け具の第２実施形態において、竿掛け本体を示す斜視図である。
【図５】第２実施形態において、竿掛け本体を示す背面図である。
【図６】第１実施形態において、フックを有する釣り竿を掛けた状態で凹み部及び横棒部の途中で破断した場合の竿掛け具を示す要部の側面図である。
【考案を実施するための形態】
【００１４】
以下、本考案に係る竿掛け具の第１実施形態を、図１から図３を参照しながら説明する。
【００１５】
本実施形態の竿掛け具１は、図１から図３に示すように、リール２を取り付けた磯竿等の釣り竿３を掛けて保持する竿掛け具であって、支柱部４と、支柱部４の上部に設けられた竿掛け本体５とを備えている。
上記竿掛け本体５は、支柱部４の上部から前方に突出し釣り竿３のリール２よりも先端側を支持可能な先端側支持部６と、支柱部４の上部から後方に突出し釣り竿３のリール２を係止可能な後端側支持部７とを備えている。
【００１６】
上記先端側支持部６は、釣り竿のリール２よりも先端側を載置可能な凹み部６ａを有している。
上記凹み部６ａは、Ｕ字状又はＶ字状に形成されている。
上記後端側支持部７は、水平方向に延在しリール２を係止可能な横棒部７ａと、横棒部７ａの両端部から上方に向けて突出した一対の端部突出部７ｂとを有している。
【００１７】
上記リール２は、スピニングリールであり、リール本体２ａと、リール本体２ａから突出し釣り竿３に装着される竿装着部２ｂとを備えている。
上記竿装着部２ｂは、リール本体２ａの下部から斜め上前方に延びて突出しており、先端部が釣り竿３のリール取り付け部に取り付け可能な形状とされている。したがって、リール２を釣り竿３に取り付けると、竿装着部２ｂによって、釣り竿３とリール本体２ａの間に一定のスペースが形成される。
【００１８】
上記横棒部７ａは、リール本体２ａと釣り竿３との間に配されて竿装着部２ｂを係止可能である。すなわち、釣り竿３を掛けた際に、上記スペースに横棒部７ａが配されて竿装着部２ｂが横棒部７ａに係止される。
一対の上記端部突出部７ｂは、ステンレス等の金属棒で形成され、その上部が、山型の曲線状に曲げられた湾曲部７ｃとされている。
【００１９】
後端側支持部７は、支柱部４の上部から後方に突出していると共に横棒部７ａの両端部まで延在しステンレス等の金属棒で形成された一対の後方延在棒部７ｄを有している。
一対の後方延在棒部７ｄの間隔ｄは、支柱部４の上部から横棒部７ａに向けて漸次拡げられている。なお、少なくともリール本体２ａの幅よりも広く設定された横棒部７ａの両端部まで、間隔ｄが拡げられている。
【００２０】
上記横棒部７ａの少なくとも表面は、後方延在棒部７ｄを形成する金属よりも柔らかい樹脂材料で形成されている。なお、本実施形態では、横棒部７ａ全体が樹脂材料で丸棒状に形成されている。
この樹脂製の横棒部７ａの両端部には、孔部が形成されており、一対の後方延在棒部７ｄの先端部が、対応する孔部に差し込まれて固定されている。
【００２１】
上記先端側支持部６及び後端側支持部７は、それぞれ支柱部４の上部に取り付けられた中央固定部１０に基端が固定されている。
先端側支持部６は、中央固定部１０に基端が固定され前方に延在した一対の前方延在棒部６ｂを有している。
一対の前方延在棒部６ｂの先端は、凹み部６ａで連結されている。
【００２２】
なお、一対の前方延在棒部６ｂ及び凹み部６ａは、１本のステンレス等の金属棒を曲げて形成されている。また、一対の前方延在棒部６ｂの先端部分及び凹み部６ａは、ゴム材等の弾性材料で被覆されている。
また、一対の後方延在棒部７ｄは、中央固定部１０に基端が固定され後方に延在している。
【００２３】
上記中央固定部１０は、上面が矩形の平坦面とされた上面部１０ａと、下部が前方側に厚く形成され下面が上面に対して傾斜していると共に前方側が凸曲面とされた傾斜下部１０ｂとを有している。
上記傾斜下部１０ｂは、支柱部４の上部に支柱部４の軸線に対して直交する方向を軸として回動可能にネジ止めされている。
【００２４】
上記支柱部４は、主棒部１１と、主棒部１１の上部であって中央固定部１０の下部に取り付けられた雄ねじ部４ａと、雄ねじ部４ａに螺着されたナット４ｂとを有している。
上記ナット４ｂは、雄ねじ部４ａ上を回動することで上下に移動可能とされている。
すなわち、ナット４ｂを支柱部４上で軸線に沿って移動させ、傾斜下部１０ｂの適当な箇所に押圧状態で固定することで、支柱部４に対して竿掛け本体５を任意の傾きで固定することができる。
なお、雄ねじ部４ａは、下部側面に主棒部１１の周面に基端部をねじ込んで固定するための回動可能な固定用レバー４ｃを備えている。
【００２５】
このように本実施形態の竿掛け具１では、後端側支持部７が、水平方向に延在しリール２を係止可能な横棒部７ａと、横棒部７ａの両端部から上方に向けて突出した一対の端部突出部７ｂとを有しているので、ワンアクションで釣り竿３を掛けること及び外すことが可能であると共に、釣り竿３が横に転がり落ちることを防止できる。すなわち、釣り竿３を掛ける際には横棒部７ａの後方から釣り竿３を差し込むことで、リール２が横棒部７ａに係止されると共に、釣り竿３の先端側を先端側支持部６の凹み部６ａ上に載置することができる。
【００２６】
また、釣り竿３を外す際には、釣り竿３を横棒部７ａの後方に引き抜くようにすることで、横棒部７ａによるリール２の係止が解除され、容易に釣り竿３を取り外すことができる。さらに、その際に、釣り竿３の先端部を上に挙げることで、魚が掛かった際の「合わせ」も同時にかつ即座に行うことが可能になる。凹み部６ａが横棒部７ａよりも下方に位置して釣り竿の先端側が下方に向いて大きく傾斜しても、横棒部７ａがリール２を係止しているため、釣り竿３が前方にずり落ちることもない。
【００２７】
特に、横棒部７ａが、リール本体２ａと釣り竿３との間に配されて竿装着部２ｂを係止可能であるので、ワンアクションでスピニングリールを取り付けた釣り竿３を掛けること及び外すことが可能である。すなわち、釣り竿３を掛ける際には、リール本体２ａを下側に配した状態でリール本体２ａと釣り竿３との間に横棒部７ａを配するようにして横棒部７ａの後方から釣り竿３を差し込むことで、竿装着部２ｂが横棒部７ａに係止されると共に、釣り竿３の先端側が先端側支持部６の凹み部６ａ上に載置される。
【００２８】
また、一対の端部突出部７ｂが横棒部７ａの両端部から上方に突出しているので、釣り竿３が横棒部７ａの両端部から転がり落ちようとしても端部突出部７ｂに係止されることで、脱落を防止することができる。
また、釣り竿３を外す際には、釣り竿３を横棒部７ａの後方に引き抜くようにすることで、横棒部７ａによる竿装着部２ｂの係止が解除され、容易に釣り竿３を取り外すことができる。
【００２９】
また、端部突出部７ｂが金属棒で形成され、その上部が、山型の曲線状に曲げられた湾曲部７ｃとされているので、端部突出部７ｂの上部の先端が鋭利に突出しておらず、釣り竿３が端部突出部７ｂの上部に当たって傷付くことを抑制することができる。
さらに、一対の後方延在棒部７ｄの間隔が、支柱部４の上部から横棒部７ａに向けて拡げられているので、横棒部７ａを幅広に延在させることができ、リール２を容易に係止可能になると共に、一対の後方延在棒部７ｄが拡げられていることでリール２が後方延在棒部７ｄに当接してしまうことを防止可能である。
【００３０】
次に、本考案に係る竿掛け具の第２実施形態について、図４及び図５を参照して以下に説明する。
【００３１】
第２実施形態と第１実施形態との異なる点は、第１実施形態では、端部突出部７ｂの上部が、山型の曲線状に曲げられた湾曲部７ｃとされているのに対し、第２実施形態の竿掛け具２１では、図４及び図５に示すように、横棒部２７ａの両端部から端部突出部２７ｂが上方に向けて直線状に突出している点である。
【００３２】
すなわち、第２実施形態では、後端側支持部２７が、横棒部２７ａの両端部まで延在し金属棒で形成された一対の後方延在棒部２７ｄを有し、一対の後方延在棒部２７ｄが、横棒部２７ａの両端部を貫通してそのまま上方に延在した一対の端部突出部２７ｂとなっている。
また、第２実施形態では、一対の後方延在棒部２７ｄが、その間隔ｄを基端近傍で大きく拡げて曲げられており、一対の後方延在棒部２７ｄの間にリール本体２ａを余裕をもって配することが可能になっている。
【００３３】
一対の後方延在棒部２７ｄは、上方に向けて互いの間隔が漸次拡がるように延在している。なお、一対の後方延在棒部２７ｄの上部を山型に曲げて、第１実施形態のように湾曲部としても構わない。この場合、第１実施形態と同様に、一対の後方延在棒部２７ｄの上端で釣り竿３を傷つけ難くなる。
【００３４】
このように第２実施形態の竿掛け具２１でも、第１実施形態と同様に、後端側支持部２７が、水平方向に延在しリール２を係止可能な横棒部２７ａと、横棒部２７ａの両端部から上方に向けて突出した一対の端部突出部２７ｂとを有しているので、ワンアクションで釣り竿３を掛けること及び外すことが可能であると共に、釣り竿３が横に転がり落ちることを防止できる。
【００３５】
なお、本考案の技術範囲は上記各実施形態に限定されるものではなく、本考案の趣旨を逸脱しない範囲において種々の変更を加えることが可能である。
【００３６】
例えば、上記実施形態では、リール２としてスピニングリールを釣り竿３に取り付け、横棒部７ａにリール２の竿装着部２ｂを係止させるが、図６に示すように、両軸リールのリール２２を取り付けた釣り竿２３を掛ける際には、釣り竿２３にフック２４を取り付けておく。すなわち、リール２２が両軸リールの場合、釣り竿２３を掛けようとした際に釣り竿２３の上側にリール２２が取り付けられているため、横棒部７ａに両軸リールのリール２２に係止させることができない。そのため、横棒部７ａに係止可能なフック２４を釣り竿２３のリール２２よりも後端側に取り付けておく。
【００３７】
上記フック２４は、釣り竿２３のリール２２と反対側である下側に、取り付けバンド２５等を用いて固定されている。取り付けバンド２５は、例えば面ファスナー等が採用可能である。
フック２４は、横棒部７ａの断面形状に合わせて円弧状に形成された突出部２４ａと、釣り竿２３に固定される直線部２４ｂとを有している。
【００３８】
上記フック２４を取り付けた釣り竿２３を掛ける際には、横棒部７ａの後方から釣り竿２３を差し込むことで、フック２４の突出部２４ａが横棒部７ａに係止されると共に、釣り竿２３の先端側が先端側支持部６の凹み部６ａ上に載置される。また、釣り竿２３を外す際には、釣り竿２３を横棒部７ａの後方に引き抜くようにすることで、横棒部７ａによるフック２４の係止が解除され、容易に釣り竿２３を取り外すことができる。
【００３９】
このようにリール２２が両軸リールである場合でも、リール２２の代わりにフック２４を釣り竿２３に取り付けて横棒部７ａに係止させることで、釣り竿２３を容易に竿掛け具１に掛けることができる。
なお、このようなフックを磯竿だけでなく、ヘラブナ用竿の基端部等に設けることで、ヘラブナ用竿も同様に、本考案の竿掛け具に容易に掛けることが可能になる。
【符号の説明】
【００４０】
１，２１…竿掛け具、２，２２…リール、２ａ…リール本体、２ｂ…竿装着部、３，２３…釣り竿、４…支柱部、５…竿掛け本体、６…先端側支持部、６ａ…凹み部、６ｂ…前方延在棒部、７…後端側支持部、７ａ…横棒部、７ｂ…端部突出部、７ｃ…湾曲部、７ｄ…後方延在棒部、２４…フック
【図１】
0003216764.tif 000003
【図２】
0003216764.tif 000004
【図３】
0003216764.tif 000005
【図４】
0003216764.tif 000006
【図５】
0003216764.tif 000007
【図６】
0003216764.tif 000008